(57)【要約】【課題】本発明は、ＥＭＩを低減させ、駆動回路を単純にするプラズマ表示パネル及びプラズマ表示装置に関する。【解決手段】本発明によるプラズマ表示パネルは、互いに対向配置される第１基板及び第２基板と、前記第１基板と第２基板との間の空間に配置されて複数の放電セルを区画する隔壁と、前記それぞれの放電セル内に形成される蛍光体層と、前記第２基板に形成されるアドレス電極と、前記第１基板に前記アドレス電極と交差する方向に伸長形成される表示電極とを含む。また、本発明によるプラズマ表示装置は、前記プラズマ表示パネルと、前記第１基板と第２基板との間で同一方向の一側に引き出される表示電極の電極端子とフレキシブル印刷回路に連結される単一の表示電極駆動ボードとを含む。【選択図】図１
2006004939.tif 000002
【特許請求の範囲】
【請求項１】
互いに対向配置される第１基板及び第２基板;
前記第１基板と第２基板との間の空間に配置されて複数の放電セルを区画する隔壁;
前記それぞれの放電セル内に形成される蛍光体層;
前記第２基板に形成されるアドレス電極;及び
前記第１基板に前記アドレス電極と交差する方向に伸長形成される表示電極；
を含み、
前記表示電極の各電極端子は、第１基板と第２基板との間で同一方向の一側に引出し形成されることを特徴とするプラズマ表示パネル。
【請求項２】
前記表示電極は、前記放電セルの放電領域で相互対抗する第１電極と第２電極とを含み、
前記第１電極と第２電極の各電極端子は、前記第１基板と第２基板との間で同一方向の一側に引出し形成されることを特徴とする請求項１に記載のプラズマ表示パネル。
【請求項３】
前記第１電極及び第２電極は、前記アドレス電極の長手方向と交差する方向に沿って延びながら各放電セルに一組に対応して形成されるバス電極、及び、前記バス電極から各放電セルの中心を向いてそれぞれ突出形成される突出電極を含むことを特徴とする請求項２に記載のプラズマ表示パネル。
【請求項４】
前記第１電極及び第２電極は、前記アドレス電極の伸長方向に沿って各放電セルに第１電極-第２電極、第１電極-第２電極のような配列で反復的に対応することを特徴とする請求項２に記載のプラズマ表示パネル。
【請求項５】
互いに対向配置される第１基板及び第２基板;
前記第１基板と第２基板との間の空間に配置されて複数の放電セルを区画する隔壁;
前記それぞれの放電セル内に形成される蛍光体層;
前記第２基板に形成されるアドレス電極;及び
前記第１基板に前記アドレス電極と交差する方向に伸長形成される表示電極；
を含み、
前記表示電極は、放電セルの放電領域で相互対抗する第１電極と第２電極とを含み、
前記第１電極は、前記第２電極のような一側に電極端子を備え、この電極端子の反対側を向いて伸長形成される第１伸長部と、この第１伸長部に連結されて前記第１伸長部と並んで形成される第２伸長部とを含むことを特徴とするプラズマ表示パネル。
【請求項６】
前記第２電極は、電極端子を一側に備えてこの電極端子の反対側を向いて伸長形成され、
前記第１電極で、前記第１伸長部は非放電部を形成し、前記第２伸長部は前記非放電部に連結されて再び電極端子側に伸長形成されて放電部を形成することを特徴とする請求項５に記載のプラズマ表示パネル。
【請求項７】
前記第１伸長部は、非放電領域を形成する隔壁に対応する第１基板に形成されることを特徴とする請求項６に記載のプラズマ表示パネル。
【請求項８】
前記第１伸長部は、第２伸長部の断面積より広い断面積に形成されることを特徴とする請求項６に記載のプラズマ表示パネル。
【請求項９】
前記第１電極及び第２電極は、各放電セルに第１電極-第２電極、第１電極-第２電極のような配列で反復的に対応することを特徴とする請求項６に記載のプラズマ表示パネル。
【請求項１０】
前記第２伸長部は、一つの第１伸長部から分枝されて前記アドレス電極の伸長方向に隣接する両側放電セルに配置されることを特徴とする請求項６に記載のプラズマ表示パネル。
【請求項１１】
前記第１電極及び第２電極は、前記アドレス電極の伸長方向に隣接した二つの放電セルに第２電極-第１電極-第２電極、第２電極-第１電極-第２電極のような配列で反復的に対応することを特徴とする請求項１０に記載のプラズマ表示パネル。
【請求項１２】
前記第２電極は、前記第１電極のような一側に電極端子を備え、この電極端子の反対側を向いて伸長形成される第３伸長部と、この第３伸長部に連結されて前記第３伸長部と並んで形成される第４伸長部とを含むことを特徴とする請求項５に記載のプラズマ表示パネル。
【請求項１３】
前記第１電極で、前記第１伸長部は放電部を形成し、前記第２伸長部は前記放電部に連結されて再び電極端子側に伸長形成されて放電部を形成し、
前記第２電極で、前記第３伸長部は放電部を形成し、前記第４伸長部は前記放電部に連結されて再び電極端子側に伸長形成される放電部を形成することを特徴とする請求項１２に記載のプラズマ表示パネル。
【請求項１４】
前記第１電極及び第２電極は、前記アドレス電極の伸長方向に隣接した三つの放電セルに第２電極-第１電極-第２電極-第１電極、第２電極-第１電極-第２電極-第１電極のような配列で反復的に対応することを特徴とする請求項１３に記載のプラズマ表示パネル。
【請求項１５】
前記第１電極と第２電極との間に第３電極を含むことを特徴とする請求項１２に記載のプラズマ表示パネル。
【請求項１６】
前記第３電極は、前記アドレス電極の長手方向と交差する方向に沿って延びながら各放電セルに一組が対応するように形成されるバス電極と、前記バス電極の幅より広い幅に形成される透明電極とを含むことを特徴とする請求項１５に記載のプラズマ表示パネル。
【請求項１７】
互いに対向配置される第１基板及び第２基板と、前記第１基板と第２基板との間の空間に配置されて複数の放電セルを区画する隔壁と、前記それぞれの放電セル内に形成される蛍光体層と、前記第２基板に形成されるアドレス電極と、前記第１基板に前記アドレス電極と交差する方向に伸長形成される表示電極とを含むプラズマ表示パネルと;
前記第１基板と第２基板との間で同一方向の一側に引き出される表示電極の電極端子とフレキシブル印刷回路に連結される単一の表示電極駆動ボードと；
を含むことを特徴とするプラズマ表示装置。
【請求項１８】
前記同一方向の一側に引き出される表示電極は、維持電極と走査電極とを含むことを特徴とする請求項１７に記載のプラズマ表示装置。
【発明の詳細な説明】
【技術分野】
【０００１】
本発明はプラズマ表示パネルと、これを用いたプラズマ表示装置に関するものである。
【背景技術】
【０００２】
一般にプラズマ表示パネルは、気体放電によりプラズマを発生させ、このプラズマから放射される真空紫外線で蛍光体を励起させ、励起された蛍光体が低エネルギー状態に戻る時に発生する赤色（Ｒ）、緑色（Ｇ）または青色（Ｂ）など、各蛍光体固有色の可視光を利用してカラー映像を実現する表示素子である。このプラズマ表示パネルは、６０インチ以上の超大型画面を僅か１０ｃｍ以内の厚さで実現することができ、陰極線管（ＣＲＴ）のような自発光表示素子であるので色再現力に優れ、視野角による歪曲現象もない特長を有する。また、プラズマ表示パネルは液晶表示装置（ＬＣＤ）などに比べて製造工法が単純で生産性及びコスト側面でも強みを有する。このプラズマ表示パネルは、テレビジョン（ＴＶ）及び産業用平板表示装置の分野で脚光を浴びている。
【０００３】
プラズマ表示パネルには直流型と交流型があり、交流型プラズマ表示パネルは、背面基板と前面基板とを備える。背面基板上には、アドレス電極が一方向に沿って長く形成され、誘電層がこのアドレス電極を覆いながら背面基板上に形成される。また放電セルを区画するための隔壁が形成されて誘電層上の各アドレス電極の間に配置される。それぞれの区画内には、赤色（Ｒ）、緑色（Ｇ）または青色（Ｂ）の可視光を発生させる蛍光体層が形成される。この背面基板に対向する前面基板の一面には表示電極が形成される。この表示電極は、２本を１組として形成され、１本の表示電極は、透明電極とバス電極とから構成され、バス電極はアドレス電極と交差する方向に伸長形成される。誘電層とＭｇＯ保護膜が、この表示電極を覆いながら前面基板上に順次積層形成される。前記背面基板上のアドレス電極と前面基板上の一組の表示電極が交差する地点に放電セルが形成される。このプラズマ表示パネルの内部には、数百万個以上の単位放電セルがマトリックス形態に配列されていて、各放電セルは交流型プラズマ放電現象の記憶特性を利用して駆動される。
【０００４】
更に説明すれば、一組２本の表示電極はＸ電極、Ｙ電極と呼ばれ、Ｘ電極とＹ電極との間に放電を起こすためには特定電圧以上の電位差が必要であり、この境界になる特定電圧を放電開始電圧（Ｖｆ）という。この時、スキャンパルス（低電位）とアドレスパルス（Ｖａ：高電位）とをＹ電極とアドレス電極にそれぞれ印加すれば、この二つの電極の交点でアドレス放電が開始され、記憶用の電荷が蓄積されて、この交点が放電するセルとして選択される。このような選択記憶用電荷を蓄積するには、アドレス放電でプラズマが形成され、このプラズマ内の電子とイオンが反対極性を有する電極側に移動し、付着する。
【０００５】
一方、交流型プラズマ表示パネルの各電極が、誘電層で被覆されているので、移動した空間電荷（前記の電子とイオン）の大部分は反対極性を有する誘電層上に積もり、結局Ｙ電極とアドレス電極との間の実効空間電圧は、元々印加されたアドレスパルスの電圧（Ｖａ）より低くなる。この現象が続くと、アドレス放電は弱くなって消滅する。
この時、Ｘ電極には相対的に少量の電子が積もり、Ｙ電極には相対的に多量の正イオンが積もるが、これらＸ電極及びＹ電極を覆っている誘電層上に積もった電荷を壁電荷（Ｑｗ）といい、これら壁電荷によってＸ-Ｙ電極の間に形成される空間電圧を壁電圧（Ｖｗ）という。
【０００６】
引き続き、Ｘ電極とＹ電極との間に一定した電圧（放電維持電圧；Ｖｓ）を有する維持パルスを印加する場合、前記放電維持電圧（Ｖｓ）と壁電圧（Ｖｗ）の大きさを合わせた値（Ｖｓ+Ｖｗ）が放電開始電圧（Ｖｆ）より高くなれば、放電セル内で維持放電が起こる。この時発生する真空紫外線は、セル内の蛍光体を励起させ、これによって発生する可視光は、透明な前面基板を通して放出される。
【０００７】
しかしながら、Ｙ電極とアドレス電極との間のアドレス放電がない場合（例えば、アドレスパルス電圧（Ｖａ）またはスキャンパルスが印加されない場合）にはＸ-Ｙ電極間に積もる壁電荷はなく、結果的にＸ-Ｙ電極の間の壁電圧も存在しない。この時には、Ｘ-Ｙ電極の間に加えられた放電維持電圧（Ｖｓ）のみが放電セル内に形成され、この放電維持電圧（Ｖｓ）は、放電開始電圧（Ｖｆ）より低いので、Ｘ-Ｙ電極間の空電セル内では放電しない。
【０００８】
このように駆動される従来型プラズマ表示パネルの配線は、表示電極のＸ電極端子とＹ電極端子とを前面基板と背面基板との間の両側に引き出す。このＸ電極端子をフレキシブル印刷回路（“ＦＰＣ”という）でＸボードに連結させ、Ｙ電極端子をＸボードの反対側に備えられるＹボードに連結させる。したがって、Ｘ電極及びＹ電極に印加される放電維持電圧の経路が長くなって、プラズマ表示パネル駆動時に電磁気的干渉（以下、“ＥＭＩ”という）が増大するという問題があり、また、このプラズマ表示パネルはＸボード及びＹボードを別途に備えるので駆動回路を複雑にするという問題もある。
【発明の開示】
【発明が解決しようとする課題】
【０００９】
本発明の目的は、ＥＭＩを低減させ駆動回路を単純にするプラズマ表示パネル及びプラズマ表示装置を提供することにある。
【課題を解決するための手段】
【００１０】
本発明の一態様によるプラズマ表示パネルは、互いに対向配置される第１基板及び第２基板と、前記第１基板と第２基板との間の空間に配置されて複数の放電セルを区画する隔壁と、前記それぞれの放電セル内に形成される蛍光体層と、前記第２基板に形成されるアドレス電極と、前記第１基板に前記アドレス電極と交差する方向に伸長形成される表示電極とを含み、前記表示電極の各電極端子は第１基板と第２基板との間から同一方向の一側に引出し形成される。
【００１１】
前記表示電極は、前記放電セルの放電領域で相互対向する第１電極（Ｘ電極）と第２電極（Ｙ電極）とを含み、前記第１電極と第２電極の各電極端子は前記第１基板と第２基板との間から同一方向の一側に引出し形成される。
前記第１電極及び第２電極は、前記アドレス電極の長手方向と交差する方向に沿って延びながら各放電セル毎に一組が対応するように形成されるバス電極と、前記バス電極から各放電セルの中心を向いてそれぞれ突出形成される突出電極とを含む。
【００１２】
前記第１電極及び第２電極は、前記アドレス電極の長手方向に沿って各放電セル毎に第１電極-第２電極、……、第１電極-第２電極のような配列で順次対応する。
また、本発明によるプラズマ表示パネルは、互いに対向配置される第１基板及び第２基板と、前記第１基板と第２基板との間の空間に配置されて複数の放電セルを区画する隔壁と、前記それぞれの放電セル内に形成される蛍光体層と、前記第２基板に形成されるアドレス電極と、前記第１基板に前記アドレス電極と交差する方向に伸長形成される表示電極とを含み、前記表示電極は放電セルの放電領域で相互対向する第１電極と第２電極とを含む。前記第１電極は、前記第２電極のように一側に電極端子を備え、この電極端子の反対側を向いて伸長形成される第１伸長部と、この第１伸長部に連結されて前記第１伸長部と並んで形成される第２伸長部とを含む。
【００１３】
前記第２電極は、電極端子を一側に備えてこの電極端子の反対側を向いて伸長形成され、前記第１電極で、前記第１伸長部は非放電部を形成し、前記第２伸長部は前記非放電部に連結されて再び電極端子側に伸長形成されて放電部を形成する。
前記第１伸長部は、非放電領域を形成する隔壁に対応する第１基板に形成される。
前記第１伸長部は、第２伸長部の断面積より広い断面積に形成される。
前記第１電極及び第２電極は、各放電セルに第１電極-第２電極、……、第１電極-第２電極のような配列で順次対応する。
【００１４】
前記第２伸長部は、一つの第１伸長部から分枝されて前記アドレス電極の伸長方向に隣接する両側放電セルに配置される。この時前記第１電極及び第２電極は、前記アドレス電極方向に隣接した二つの放電セルに第２電極-第１電極-第２電極、……、第２電極-第１電極-第２電極のような配列で順次対応する。
前記第２電極は、前記第１電極のように一側に電極端子を備え、この電極端子の反対側を向いて伸長形成される第３伸長部と、この第３伸長部に連結されて前記第３伸長部と並んで形成される第４伸長部とを含む。この時、前記第１電極で、前記第１伸長部は放電部を形成し、前記第２伸長部は前記放電部に連結されて再び電極端子側に伸長形成されて放電部を形成し、前記第２電極で、前記第３伸長部は放電部を形成し、前記第４伸長部は前記放電部に連結されて再び電極端子側に伸長形成される放電部を形成する。
【００１５】
前記第１電極及び第２電極は、前記アドレス電極の伸長方向に隣接した三つの放電セルに第２電極-第１電極-第２電極-第１電極、……、第２電極-第１電極-第２電極-第１電極のような配列で順次対応する。
また、本発明によるプラズマ表示パネルは、前記第１電極と第２電極との間に第３電極（Ｍ電極）をさらに含む。
前記第３電極は、前記アドレス電極の長手方向と交差する方向に沿って延びながら各放電セルに一組が対応するように形成されるバス電極と、前記バス電極の幅より広い幅に形成される透明電極とを含む。
【００１６】
また、本発明の他の態様によるプラズマ表示装置は、互いに対向配置される第１基板及び第２基板と、前記第１基板と第２基板との間の空間に配置されて複数の放電セルを区画する隔壁と、前記それぞれの放電セル内に形成される蛍光体層と、前記第２基板に形成されるアドレス電極と、前記第１基板に前記アドレス電極と交差する方向に伸長形成される表示電極とを含むプラズマ表示パネルと、前記第１基板と第２基板との間で同一方向の一側に引き出される表示電極の電極端子とフレキシブル印刷回路（ＦＰＣ）で連結される単一表示電極駆動ボードとを含む。
前記同一方向の一側に引き出される表示電極は、維持電極（Ｘ電極）と走査電極（Ｙ電極）とを含む。
【発明の効果】
【００１７】
本発明によれば、プラズマ表示パネルから、表示電極の電極端子を前面基板と背面基板との間の同一方向の一側に引き出し、この電極端子をシャーシベースの一側に備えられるＸ-ＹボードにＦＰＣで連結することによって、表示電極と駆動ボードとの間に形成される差動モード（磁束漏洩面積を小さくできる正負同方向接近配線）のループを小さくして、プラズマ表示パネル駆動時発生するＥＭＩを低減させ、Ｘ-Ｙボードを統合ボードに形成させることができて駆動回路を単純化する効果がある。
【発明を実施するための最良の形態】
【００１８】
以下、添付した図面を参照して、本発明の好ましい実施形態について当業者が容易に実施することができるように詳細に説明する。しかしながら、本発明は多様に異なる形態で実現できるので、ここで説明する実施形態に限定されるものではない。
図１は、本発明の第１実施形態によるプラズマ表示パネルを概略的に示した部分分解斜視図である。
【００１９】
この図面を参照してプラズマ表示パネルを説明すれば、本実施形態によるプラズマ表示パネルは、第１基板１（以下、“前面基板”という）と第２基板３（以下、“背面基板”という）の面対向封着構造で形成される。この前面基板１と背面基板３との間の空間には多数の隔壁５が配置される。この隔壁５は、プラズマ放電を起こすことができる複数の放電セル７Ｒ、７Ｇ、７Ｂを区画して形成する。この放電セル７Ｒ、７Ｇ、７Ｂの内部には、放電ガス（例、Ｎｅ-Ｘｅの混合ガス）が充填されており、その内壁には赤色（Ｒ）、緑色（Ｇ）、青色（Ｂ）の可視光をそれぞれ発生させるように印刷された蛍光体による蛍光体層９Ｒ、９Ｇ、９Ｂ）が形成されている。
【００２０】
前記背面基板３上には、図面のｙ軸方向に沿ってアドレス電極１１が伸長形成される。隣り合うアドレス電極１１は、ｘ軸に沿った方向に放電セル７Ｒ、７Ｇ、７Ｂ）に相当する間隔を置いて配置される。前記前面基板１上には、このアドレス電極１１と交差する方向、すなわち、図面のｘ軸方向に沿って表示電極（１３、１５）が延長形成される。隣り合う表示電極１３、１５は、ｙ軸方向に放電セル７Ｒ、７Ｇ、７Ｂに相当する間隔を置いて配置される。この前面基板１と背面基板３との間の空間に備えられる前記隔壁５は放電セル７Ｒ、７Ｇ、７Ｂを閉鎖型で形成する第１隔壁部材５ａと第２隔壁部材５ｂとを含む。この第１隔壁部材５ａは、ｙ軸方向に伸長形成され、隣り合う他の第１隔壁部材５ａと平行に配置される。第２隔壁部材５ｂは、この第１隔壁部材５ａと交差するようにｘ軸方向に伸長形成され、隣接する他の第２隔壁部材５ｂと平行に配置される。
【００２１】
本実施形態は、ｙ軸方向とｘ軸方向にそれぞれ伸長して相互交差する第１、第２隔壁部材５ａ、５ｂによって放電セル７Ｒ、７Ｇ、７Ｂを形成する、閉鎖型隔壁構造を例示している。しかしながら、本発明は、第２隔壁部材５ｂがなく、第１隔壁部材５ａによるストライプ状隔壁構造を含む。また、第１、第２隔壁部材５ａ、５ｂを使用しても第１隔壁部材５ａの形状によって、放電セル７Ｒ、７Ｇ、７Ｂは８角形または６角形など多様な形状に形成することができる。
【００２２】
前記アドレス電極１１は、放電セル７Ｒ、７Ｇ、７Ｂで壁電荷を形成してアドレス放電を起こすように第１誘電層１７で覆われている。この第１誘電層１７は、可視光の反射率を確保することができるように、白色誘電体、例えば酸化チタン系や酸化バリウム系の物質で形成されることが好ましい。
このアドレス電極１１と交差配置される前記表示電極１３、１５は、このアドレス電極１１とアドレス放電を起こした後、放電セル７Ｒ、７Ｇ、７Ｂで維持放電を起こすように放電セル７Ｒ、７Ｇ、７Ｂを中心に相互対向状態で配置される第１電極１３（以下、“Ｘ電極”という）及び第２電極１５（以下、“Ｙ電極”という）からなり、誘電層１９とＭｇＯ保護膜２１とで覆われる。
【００２３】
図２は、図１の部分平面図である。
この図面を参照して表示電極（１３、１５）を説明すれば、この表示電極１３、１５、すなわち、Ｘ、Ｙ電極（１３、１５）はその電極端子（Ｅ）を前面基板１と背面基板３との間で同一方向（図２の-ｘ軸に沿った方向）の一側から引き出して形成している。
図３は、本発明によるプラズマ表示装置の印刷回路基板配置状況を示すシャーシベース背面図である。
【００２４】
この図面を参照して表示電極１３、１５を再び説明すれば、この表示電極１３、１５の電極端子（Ｅ）は、同一な一側（図２の左端方向、つまりｘ軸に沿った方向：以下、正負極性を無視する）から引き出されることによって、プラズマ表示パネルが並行に付着するシャーシベース３１の他方に単一の表示電極駆動ボード３３（以下、“Ｘ-Ｙボード”という）を統合（近接または一体化）して備えることができるようにする。シャーシベース３１の前面で同一方向に引き出された電極端子（Ｅ）は、背面に折り返されて、ＦＰＣ３５を介してＸ-Ｙボード３３に連結されるので表示電極１３、１５とＸ-Ｙボード３３との間に形成される差動モードのループ、つまり電流の往復経路で構成される環状部を小さくする。この差動モードのループが小さくなることによって磁束漏洩が低減され、プラズマ表示パネル駆動時に発生するＥＭＩが低減される。そしてＸ-Ｙボード３３は、既存のＸボードとＹボードとを統合ボードから構成することによって駆動回路をより単純にする。
【００２５】
前記シャーシベース３１は、Ｘ-Ｙボード３３を含めて、プラズマ表示パネルの駆動に必要な多数のボード（印刷回路基板）を備えている。アドレスバッファボード３７は、プラズマ表示パネル内でのアドレス電極１１の構成によってシャーシベース３１の上部（図示せず）または下部に形成される。このアドレスバッファボード３７は、映像処理及び制御ボード３９からアドレス駆動制御信号を受信して表示しようとする放電セル７Ｒ、７Ｇ、７Ｂを選択するためのアドレス電圧を、各アドレス電極１１に選択的に印加する。
【００２６】
Ｘ-Ｙボード３３は、シャーシベース３１の一側に配置され、表示電極バッファボード４１（以下、“Ｘ-Ｙバッファボード”という）を経てＸ電極１３及びＹ電極１５の電極端子（Ｅ）に電気的に連結されている。このＸ-Ｙバッファボード４１は、アドレス期間でＹ電極１５を順次に選択するためのスキャンパルスを印加する。Ｘ-Ｙボード３３は、映像処理及び制御ボード３９から駆動信号を受信して、Ｘ、Ｙ電極１３、１５のぞれそれに駆動電圧を印加する。このＸ-Ｙボード３３は、電極端子（Ｅ）が同一方向の一側に引き出されることによってそれぞれ別途に構成することもできるが、一体の統合ボードから構成されることが好ましい。
【００２７】
この映像処理及び制御ボード３９は、外部から映像信号を受信してアドレス電極１１の駆動に必要な制御信号と、Ｘ、Ｙ電極１３、１５の駆動に必要な制御信号を生成して、それぞれアドレスバッファボード３７とＸ-Ｙボード３３に印加する。そして電源ボード４３は、プラズマ表示パネルの駆動に必要な電源を供給する。
前記のようなプラズマ表示装置の一側に備えられたＸ-Ｙバッファボード４１に対応して、Ｘ、Ｙ電極１３、１５の電極端子（Ｅ）を同一方向の一側に引き出して連結するために、表示電極１３、１５は、以下に説明されるように多様に実現できる。
【００２８】
前記表示電極１３、１５は、前記のようにＸ電極１３とＹ電極１５で形成され、このＸ電極１３とＹ電極１５は、放電セル７Ｒ、７Ｇ、７Ｂの放電領域で相互対抗する。すなわち、同一方向の一側に引き出される表示電極１３、１５は、維持電極（Ｘ電極）と走査電極（Ｙ電極）とを含む。
【００２９】
このＸ電極１３及びＹ電極１５は、放電セル７Ｒ、７Ｇ、７Ｂの中心を向いて突出する突出電極１３ａ、１５ａと、この突出電極１３ａ、１５ａにそれぞれの電圧を印加するバス電極１３ｂ、１５ｂからなる。このバス電極１３ｂ、１５ｂは、アドレス電極１１の長手方向と交差する方向（ｘ軸方向）に沿って延びながら、各放電セル７Ｒ、７Ｇ、７Ｂに一組ずつ対応するように形成される。そして突出電極１３ａ、１５ａは、各バス電極１３ｂ、１５ｂから各放電セル７Ｒ、７Ｇ、７Ｂの中心を向いてそれぞれ突出形成される。
【００３０】
ここで突出電極１３ａ、１５ａは、放電セル７Ｒ、７Ｇ、７Ｂの内部でプラズマ放電を起こす役割を果たすものであって、輝度確保のために透明電極からなるのが好ましい。この突出電極１３ａ、１５ａは、透明なＩＴＯ（Ｉｎｄｉｕｍ  Ｔｉｎ  Ｏｘｉｄｅ）で形成することができる。そしてバス電極１３ｂ、１５ｂは、この突出電極１３ａ、１５ａの高い電気的抵抗を補償して通電性を確保するためのものであって、金属電極からなることが好ましい。このバス電極１３ｂ、１５ｂは、アルミニウム（Ａｌ）で形成することができる。
【００３１】
このＸ、Ｙ電極１３、１５は、その電極端子（Ｅ）を同一方向の一側に引き出すために多様に配置することができ、図２はＸ、Ｙ電極１３、１５がアドレス電極１１の伸長方向（ｙ軸方向）に隣接する各放電セル７Ｒ、７Ｇ、７ＢでＸ-Ｙ、……、Ｘ-Ｙ（便宜上“電極”を省略する）配列で形成することを例示する。
【００３２】
前記のように、Ｘ、Ｙ電極１３、１５が配列され、この電極端子（Ｅ）が同一な一側に配置されるので、このＸ、Ｙ電極１３、１５とＸ-Ｙボード３３との間に形成されるディファレンシャルモードループは、Ｘ電極１３側の電極端子（Ｅ）とＹ電極１５側の電極端子（Ｅ）が両側で交互的に引き出される配列に比べて、放電電流通路Ｐで示されるように矢印方向に短く形成されてＥＭＩの発生を低減させる。
【００３３】
図４は、本発明の第２実施形態によるプラズマ表示パネルの部分平面図であり、図５は図４のＡ-Ａ線に沿う部分断面図である。
この図面を参照して第２実施形態を説明すれば、第２実施形態は第１実施形態と比較して構成において全体的に類似しているため、ここでは第１実施形態と比較して同じ部分については説明を省略し、これと他の部分について説明する。
【００３４】
第１実施形態は、Ｘ、Ｙ電極１３、１５を同一に備えるのに対して、第２実施形態はＸ、Ｙ電極１１３、１５を相異なって備えている。
Ｙ電極１５は、電極端子（Ｅ）を一側に備えて電極端子（Ｅ）の反対側を向いて伸長形成される。Ｘ電極１１３は、Ｙ電極１５のような一側に電極端子（Ｅ）を備え、この電極端子（Ｅ）の反対側を向いて伸長形成される第１伸長部１１３ｃと、この第１伸長部１１３ｃに連結されて再び電極端子（Ｅ）側に伸長形成される第２伸長部１１３ｂで形成される。第２伸長部１１３ｂは、実質的に第１実施形態のバス電極１３ｂに相当する。このような構造のＸ電極１１３とＹ電極１５は相互に置き換えることもできる。
【００３５】
このようにＹ電極１５が一方向に伸長形成され、Ｘ電極１１３が第１伸長部１１３ｃと第２伸長部１１３ｂとを備えて伸長形成されるによって、各放電セル７Ｒ、７Ｇ、７Ｂでの放電電流通路（Ｐ）が同一に形成される。このように放電電流通路（Ｐ）の長さが同一であるために、各放電セル７Ｒ、７Ｇ、７Ｂで発生することができる輝度の差が防止される。
【００３６】
前記第１伸長部１１３ｃは、直接放電に関与しない非放電部を形成し、非放電領域を形成する隔壁５に対応して形成される。より詳しくは、第１伸長部１１３ｃは第２隔壁部材５ｂに対応する前面基板１に形成される。したがって、この第１伸長部１１３ｃは、放電セル７Ｒ、７Ｇ、７Ｂから発光する可視光の遮断を最少化して輝度低下を防止する。
【００３７】
また、第２伸長部１１３ｂは直接放電に関与する放電部を形成する。第１伸長部１１３ｃの断面積は、第２伸長部１１３ｂの断面積より広く形成されることが好ましい（図５参照）。これは、放電電圧が印加される前記放電電流通路（Ｐ）の長さの増加による電気的抵抗を補償する。
前記Ｘ電極１１３が第１伸長部１１３ｃと第２伸長部１１３ｂとを有し、Ｙ電極１５が一方向にのみ伸長形成されるによって、Ｘ、Ｙ電極１１３、１５は各放電セル７Ｒ、７Ｇ、７ＢでＸ-Ｙ、……、Ｘ-Ｙ配列に順次に対応して形成される。
【００３８】
図６は、本発明の第３実施形態によるプラズマ表示パネルの部分平面図である。
この図面を参照して第３実施形態を説明すれば、第３実施形態は第２実施形態と比較して構成において全体的に類似しているため、ここでは第２実施形態と比較して同じ部分については説明を省略し、これと他の部分について説明する。
【００３９】
第３実施形態は、第２実施形態のようにＸ、Ｙ電極２１３、１５を相異なって備えている。
これに加えて、第３実施形態は第２伸長部２１３ｂ、２１３ｄが一つの第１伸長部２１３ｃから分枝されてアドレス電極１１の伸長方向（ｙ軸方向）に隣接した放電セル７Ｒ、７Ｇ、７Ｂに配置される。すなわち、第２伸長部２１３ｂ、２１３ｄは、Ｘ電極２１３の一つの第１伸長部２１３ｃの電極端子（Ｅ）の反対側から両側に分枝されて電極端子（Ｅ）側に伸長形成される。したがって、アドレス電極１１の長手方向に隣接した放電セル７Ｒ、７Ｇ、７ＢにはＸ電極２１３が共通として作用する。
【００４０】
これによって、Ｘ、Ｙ電極２１３、１５はアドレス電極１１の方向に隣接した二つの放電セル７Ｒ、７Ｇ、７ＢにＹ-Ｘ-Ｙ、……、Ｙ-Ｘ-Ｙのような配列で形成される。このような電極配列は、隣接した放電セル７Ｒ、７Ｇ、７ＢのＸ電極２１３側で第１及び第２実施形態に比べて非放電領域をさらに除去して放電効率を向上させる。
【００４１】
図７は、本発明の第４実施形態によるプラズマ表示パネルの部分平面図である。
この図面を参照して第４実施形態を説明すれば、第４実施形態は第３実施形態と比較して構成において全体的に類似しているため、ここでは第３実施形態と比較して同じ部分については説明を省略し、これと他の部分について説明する。
【００４２】
第４実施形態は、第３実施形態とは違ってＸ、Ｙ電極３１３、３１５を同一に備えている。
すなわち、Ｘ電極３１３は各電極端子（Ｅ）を同一方向の一側に備えて、電極端子（Ｅ）の反対側を向いて伸長形成される第１伸長部３１３Ｅと、この第１伸長部３１３Ｅに連結されて再び前記電極端子（Ｅ）側に伸長形成される第２伸長部３１３ｆを含んでいる。この第１伸長部３１３ｅ及び第２伸長部３１３ｆは、直接放電に関与する放電部を形成する。この第１伸長部３１３ｅと第２伸長部３１３ｆには、放電セル７Ｒ、７Ｇ、７Ｂに対応する突出電極３１３ａがそれぞれ形成される。
【００４３】
また、Ｙ電極３１５は各電極端子（Ｅ）を同一方向の一側に備えて、電極端子（Ｅ）の反対側を向いて伸長形成される第３伸長部３１５ｅと、この第３伸長部３１５ｅに連結されて再び前記電極端子（Ｅ）側に伸長形成される第４伸長部３１５ｆとを含んでいる。この第３伸長部３１５ｅ及び第４伸長部３１５ｆは、直接放電に関与する放電部を形成する。この第３伸長部３１５ｅと第４伸長部３１５ｆには、放電セル７Ｒ、７Ｇ、７Ｂに対応する突出電極３１５ａがそれぞれ形成される。
【００４４】
すなわち、一側放電セル７Ｒ、７Ｇ、７ＢにはＸ電極３１３の第２伸長部３１３ｆが配置され、Ｙ電極３１５の第１伸長部３１５ｅが配置される。また、前記放電セルに対してｙ軸方向に隣接する他の放電セル７Ｒ、７Ｇ、７Ｂには、Ｘ電極３１３の第１伸長部３１３ｅが配置され、Ｙ電極３１５の第２伸長部３１５ｆが配置される。
【００４５】
これによって、前記Ｘ、Ｙ電極３１３、３１５はアドレス電極１１の伸長方向（ｙ軸方向）に隣接した三つの放電セル７Ｒ、７Ｇ、７ＢにＹ-Ｘ-Ｙ-Ｘ、……、Ｙ-Ｘ-Ｙ-Ｘのような配列で形成される。このような電極配列は、隣接した放電セル７Ｒ、７Ｇ、７ＢのＸ電極３１３及びＹ電極３１５側の全てで、第３実施形態に比べて非放電領域をさらに除去して放電効率を向上させる。
【００４６】
また、Ｘ電極３１３とＹ電極３１５との間毎に第３電極２３（以下、Ｍ電極）をさらに備えることができる。このＭ電極２３は、リセット期間及びスキャン期間でそれぞれリセットパルス波形及びスキャンパルス波形を印加する。
このＭ電極２３は、アドレス電極１１の長手方向と交差する方向（ｘ軸方向）に沿って延びながら各放電セル７Ｒ、７Ｇ、７Ｂに一組が対応するように形成されるバス電極２３ｂと、このバス電極２３ｂの幅より広い幅に形成される透明電極２３ａとを含む。この透明電極２３ａは、バス電極２３ｂのように伸長形成されることもできるが、図７に示されたように透明電極１３ａ、１５ａを向いて突出されるように形成されることもできる。
【００４７】
以上、本発明の好ましい実施形態について説明したが、本発明はこれに限定されるものではなく、特許請求の範囲と発明の詳細な説明及び添付した図面の範囲内で多様に変形して実施するのが可能であり、これもまた本発明の範囲に属することは当然である。
【図面の簡単な説明】
【００４８】
【図１】本発明の第１実施形態によるプラズマ表示パネルを概略的に示した部分分解斜視図である。
【図２】図１のプラズマ表示パネル部分平面図である。
【図３】本発明によるプラズマ表示装置のシャーシベース背面図である。
【図４】本発明の第２実施形態によるプラズマ表示パネルの部分平面図である。
【図５】図４のＡ-Ａ線に沿う部分断面図である。
【図６】本発明の第３実施形態によるプラズマ表示パネルの部分平面図である。
【図７】本発明の第４実施形態によるプラズマ表示パネルの部分平面図である。
【符号の説明】
【００４９】
１…前面基板
３…背面基板
５…隔壁
５ａ、５ｂ…第１、第２隔壁部材
７Ｒ、７Ｇ、７Ｂ…放電セル
９Ｒ、９Ｇ、９Ｂ…蛍光体層
１１…アドレス電極
１３、１５…表示電極
１７…第１誘電層
１９…誘電層
２１…ＭｇＯ保護膜
３１…シャーシベース
３３…Ｘ−Ｙボード（Ｘ−電極、Ｙ−電極駆動用印刷回路基板）
【図１】
2006004939.tif 000003
【図２】
2006004939.tif 000004
【図３】
2006004939.tif 000005
【図４】
2006004939.tif 000006
【図５】
2006004939.tif 000007
【図６】
2006004939.tif 000008
【図７】
2006004939.tif 000009